(57)【要約】【課題】空調機をラック列の端部にのみ配置した場合であっても、ラック列に均等に冷却空気を行き渡らせることが可能な空調システムを提供すること。【解決手段】空調システム１は、コールドアイル４から各ラック１０の内部を介してホットアイル５への冷却空気の流れを形成して情報処理機器の冷却を行う空調システム１であって、配列方向における複数のラック１０のいずれか一方の端部に連続的に配置された空調機２０であって、ホットアイル５から空気を吸い込む吸込口２１と、吸込口２１より吸い込んだ空気を冷却して冷却空気を生成する冷却器２２と、冷却器２２にて生成された冷却空気をコールドアイル４に対して吹き出す吹出口２３と、吸込口２１から吹出口２３に至る空気の流れを形成する送風機２４と、を有する空調機２０と、空調機２０の吹出口２３からの冷却空気の吹き出し方向を所定の方向に変更する風向板３０と、を備える。【選択図】図１
2015076075.tif 000002
【特許請求の範囲】
【請求項１】
情報処理機器を収容する複数のラックであって、所定の配列方向に沿って連続的に配列された複数のラックを前記配列方向と直交する方向において挟んで位置する２つの空間である第一空間及び第二空間において、前記第一空間から各ラックの内部を介して前記第二空間への冷却空気の流れを形成することにより前記情報処理機器の冷却を行う空調システムであって、
前記配列方向における前記複数のラックのいずれか一方の端部に連続的に配置された空調手段であって、前記第二空間から空気を吸い込む吸込口と、前記吸込口より吸い込んだ空気を冷却して冷却空気を生成する冷却手段と、前記冷却手段にて生成された冷却空気を前記第一空間に対して吹き出す吹出口と、前記吸込口から前記吹出口に至る空気の流れを形成する送風手段と、を有する空調手段と、
前記空調手段の吹出口からの冷却空気の吹き出し方向を所定の方向に変更する風向変更手段と、を備える、
空調システム。
【請求項２】
前記空調手段における前記複数のラックが配置された側方と反対側の側方から、前記空調手段における前記第一空間側の側方を介して、前記複数のラックにおける前記第一空間側の側方へとユーザが連続的に移動可能となり、かつ、前記反対側の側方から、前記空調手段における前記第二空間側の側方を介して、前記複数のラックにおける前記第二空間側の側方へとユーザが連続的に移動可能となるように、前記空調手段を配置した、
請求項１に記載の空調システム。
【請求項３】
前記風向変更手段は、それぞれが長板形状を有する風向板であって、前記吹出口に対して前記配列方向に沿って並設された複数の風向板である、
請求項１又は２に記載の空調システム。
【請求項４】
前記風向変更手段は、前記吹出口からの冷却空気の吹き出し方向を少なくとも２以上の方向に調節可能である、
請求項１から３のいずれか一項に記載の空調システム。
【請求項５】
前記各ラックの内部の温度を計測する計測手段と、
前記計測手段にて計測された温度に基づいて前記風向変更手段を制御して前記吹出口からの冷却空気の吹き出し方向を調節する制御手段を備える、
請求項４に記載の空調システム。
【請求項６】
前記所定の配列方向に沿って連続的に配列された複数のラックと、当該複数のラックの端部に連続的に配置された空調手段と、により空調ユニットを構成し、
複数の前記空調ユニットを、前記第一空間又は前記第二空間を介して平行かつ同一向きに並設し、又は、複数の前記空調ユニットを、前記複数のラックの配列方向に沿って一直線上に、かつ各空調ユニットを構成する複数のラックにおける前記空調手段が配置されていない側の端部同士が連続的に配置される向きに並設した、
請求項１から５のいずれか一項に記載の空調システム。
【発明の詳細な説明】
【技術分野】
【０００１】
本発明は、空調システムに関する。
【背景技術】
【０００２】
サーバや通信機器等の情報処理機器を多数収容するデータセンター等においては、これらの情報処理機器から発せられる熱が原因でこれらの情報処理機器に誤作動等を生じさせてしまう可能性がある。そこで、これらのデータセンターにおいては、これらの情報処理機器を冷却するための空調システムが必要不可欠となっている。
【０００３】
このようなデータセンターの空調システムとしては、情報処理機器を収容した複数のラックを列状に配置することによりラック列を構成し、ラック列の側方に対して空調機により冷却空気を送風する空調システムが提案されている（例えば、特許文献１）。このような空調システムによれば、ラック列における一方の面から冷却空気を吸い込んで他方の面から吹き出すことにより、ラック内部の情報処理機器を冷却することが可能である。
【先行技術文献】
【特許文献】
【０００４】
【特許文献１】特開２０１２−２７８０２号公報
【発明の概要】
【発明が解決しようとする課題】
【０００５】
しかし、ラック列の長さが長い場合等、冷却空気を送風するための空調機をラック列の端部に配置したのみでは、空調機が配置されていない側の端部に位置するラック列まで冷却空気が十分に行き渡らない可能性がある。そこで、このような問題を解消するために、空調機を、ラック列の端部のみだけでなく、ラック列の途中（すなわちラックの相互間）にも配置することが考えられる。
【０００６】
ここで、各ラックに冷却空気を供給する空調機を管理する者（例えば空調機の保守業者等）と、ラックの内部に収容された情報処理機器を管理する者（例えば情報処理機器の所有者等）とは、通常は異なる者である。そのため、空調機を管理する者の動線と情報処理機器を管理する者の動線が重複してしまうことは、セキュリティの観点、及び作業効率の観点から望ましくない。すなわち、このように動線が重複してしまうと、情報処理機器を管理する者以外の者がラックへと自由にアクセス出来てしまうためセキュリティの観点において望ましくなく、また情報処理機器を管理する者と空調機を管理する者が同時に作業を行う際等において、両者が相互に干渉したり移動の自由度が損なわれてしまう可能性があるため作業効率の観点において望ましくない。しかし、上述したような、ラック列に均等に冷却空気を行き渡らせるためにラック列の途中に空調機を配置した空調システムでは、上記の空調機を管理する者と情報処理機器を管理する者の動線が重複してしまった。
【０００７】
本発明は、上記に鑑みてなされたものであって、空調機をラック列の端部にのみ配置した場合であっても、ラック列に均等に冷却空気を行き渡らせることが可能な空調システムを提供することを目的とする。
【課題を解決するための手段】
【０００８】
上述した課題を解決し、目的を達成するために、請求項１に記載の空調システムは、情報処理機器を収容する複数のラックであって、所定の配列方向に沿って連続的に配列された複数のラックを前記配列方向と直交する方向において挟んで位置する２つの空間である第一空間及び第二空間において、前記第一空間から各ラックの内部を介して前記第二空間への冷却空気の流れを形成することにより前記情報処理機器の冷却を行う空調システムであって、前記配列方向における前記複数のラックのいずれか一方の端部に連続的に配置された空調手段であって、前記第二空間から空気を吸い込む吸込口と、前記吸込口より吸い込んだ空気を冷却して冷却空気を生成する冷却手段と、前記冷却手段にて生成された冷却空気を前記第一空間に対して吹き出す吹出口と、前記吸込口から前記吹出口に至る空気の流れを形成する送風手段と、を有する空調手段と、前記空調手段の吹出口からの冷却空気の吹き出し方向を所定の方向に変更する風向変更手段と、を備える。
【０００９】
また、請求項２に記載の空調システムは、請求項１に記載の空調システムにおいて、前記空調手段における前記複数のラックが配置された側方と反対側の側方から、前記空調手段における前記第一空間側の側方を介して、前記複数のラックにおける前記第一空間側の側方へとユーザが連続的に移動可能となり、かつ、前記反対側の側方から、前記空調手段における前記第二空間側の側方を介して、前記複数のラックにおける前記第二空間側の側方へとユーザが連続的に移動可能となるように、前記空調手段を配置した。
【００１０】
また、請求項３に記載の空調システムは、請求項１又は２に記載の空調システムにおいて、前記風向変更手段は、それぞれが長板形状を有する風向板であって、前記吹出口に対して前記配列方向に沿って並設された複数の風向板である。
【００１１】
また、請求項４に記載の空調システムは、請求項１から３のいずれか一項に記載の空調システムにおいて、前記風向変更手段は、前記吹出口からの冷却空気の吹き出し方向を少なくとも２以上の方向に調節可能である。
【００１２】
また、請求項５に記載の空調システムは、請求項４に記載の空調システムにおいて、前記各ラックの内部の温度を計測する計測手段と、前記計測手段にて計測された温度に基づいて前記風向変更手段を制御して前記吹出口からの冷却空気の吹き出し方向を調節する制御手段を備える。
【００１３】
また、請求項６に記載の空調システムは、請求項１から５のいずれか一項に記載の空調システムにおいて、前記所定の配列方向に沿って連続的に配列された複数のラックと、当該複数のラックの端部に連続的に配置された空調手段と、により空調ユニットを構成し、複数の前記空調ユニットを、前記第一空間又は前記第二空間を介して平行かつ同一向きに並設し、又は、複数の前記空調ユニットを、前記複数のラックの配列方向に沿って一直線上に、かつ各空調ユニットを構成する複数のラックにおける前記空調手段が配置されていない側の端部同士が連続的に配置される向きに並設した。
【発明の効果】
【００１４】
請求項１に記載の空調システムによれば、空調手段を複数のラックの端部に連続的に配置するので、空調手段を管理する者とラックの内部に収容された情報処理機器を管理する者の動線を区別して確保する事が可能となる。また、吹出口からの冷却空気の吹き出し方向を所定の方向に変更する風向変更手段を備えるので、空調手段が複数のラックの端部に配置されている場合であっても各ラックに対して均等にあるいは局所的に冷却空気の送風を図ることができ、情報処理機器の冷却効率の向上を図ることが可能となる。
【００１５】
請求項２に記載の空調システムによれば、空調手段における第一空間側及び第二空間側の側方の両方をユーザが移動可能となるので、ユーザによる第一空間及び第二空間への移動し易さの向上を図ることができ、設備点検等の自由度の向上を図ることが可能となる。
【００１６】
請求項３に記載の空調システムによれば、風向変更手段として長板形状を有する風向板を設けることにより、極めて容易な構成により冷却空気の吹き出し方向を所定の方向に変更することができ、施工性及び施工コストの低減を図ることが可能となる。
【００１７】
請求項４に記載の空調システムによれば、風向変更手段は吹出口からの冷却空気の吹き出し方向を少なくとも２以上の方向に調節可能であるので、ラックの冷却状態等に応じて風向を自在に調節でき、情報処理機器の冷却効率のさらなる向上を図ることが可能となる。
【００１８】
請求項５に記載の空調システムによれば、ラックの内部の温度に応じて冷却空気の吹き出し方向を調節する制御手段を備えるので、各ラックの冷却状況に一層適した空調を行うことが可能となり、情報処理機器の冷却効率のさらなる向上を図ることが可能となる。
【００１９】
請求項６に記載の空調システムによれば、複数の空調ユニットを組み合わせて空調システムを構成するので、ラックを設置する部屋の広さや、設置するラックの数等に応じて複数の空調ユニットを組み合わせることができ、空調システムの構成の自由度の向上を図ることが可能となる。
【図面の簡単な説明】
【００２０】
【図１】実施の形態１に係る空調システムを概略的に示す平面図であって、図１（ａ）は平面図、図１（ｂ）は前面図、図１（ｃ）は左側面図、図１（ｄ）は右側面図である。
【図２】空調機を示す図であって、図２（ａ）は平面図、図２（ｂ）は側面図、図２（ｃ）は前面図である。
【図３】実施の形態３に係る空調ユニットを２つ接続した空調システムを概略的に示す平面図である。
【図４】空調システムを概略的に示す側面図である。
【図５】空調ユニットの接続パターンを概略的に示す平面図である。
【発明を実施するための形態】
【００２１】
以下に添付図面を参照して、この発明に係る空調システムの各実施の形態を詳細に説明する。まず、〔Ｉ〕各実施の形態の基本的概念を説明した後、〔ＩＩ〕各実施の形態の具体的内容について説明し、〔ＩＩＩ〕最後に、各実施の形態に対する変形例について説明する。ただし、各実施の形態によって本発明が限定されるものではない。
【００２２】
〔Ｉ〕各実施の形態の基本的概念
まず、各実施の形態の基本的概念について説明する。各実施の形態に係る空調システムは、情報処理機器の冷却を行う空調システムである。ここで、情報処理機器の用途は任意であるが、各実施の形態では、データセンター等の大規模な情報処理施設にて各種のデータを処理するための機器として用いられるものとして説明する。また、情報処理施設における情報処理機器の設置台数についても任意であり、少なくとも一つの情報処理機器を備えることにより当該空調システムを構成することが可能であるが、各実施の形態では複数の情報処理機器が設置されているものとして説明する。また、各実施の形態では、情報処理施設における、複数の情報処理機器が設置された一つの部屋について注目して説明し、当該部屋の内部のことを以下では必要に応じて「室内」と称して説明する。
【００２３】
〔ＩＩ〕各実施の形態の具体的内容
次に、各発明に係る実施の形態の具体的内容について説明する。
【００２４】
（実施の形態１）
最初に、実施の形態１について説明する。
【００２５】
（構成）
まずは、本実施の形態１に係る空調システム１の構成について説明する。図１は、本実施の形態１に係る空調システム１を概略的に示す図であって、図１（ａ）は平面図、図１（ｂ）は前面図、図１（ｃ）は左側面図、図１（ｄ）は右側面図である。以下では、必要に応じて、図１におけるＸ−Ｘ’方向を「幅方向」と称し、特にＸ方向を「右方向」、Ｘ’方向を「左方向」と称する。また、Ｙ−Ｙ’方向を「奥行き方向」と称し、特にＹ方向を「後方向」、Ｙ’方向を「前方向」と称する。また、Ｚ−Ｚ’方向を「高さ方向」と称し、特にＺ方向を「上方向」、Ｚ’方向を「下方向」と称する。この図１に示すように、本実施の形態１に係る空調システム１は、概略的に、ラック１０、空調機２０、風向板３０、免震装置４０、コールドアイルのキャッピング５０、ホットアイルのキャッピング６０、及びＰＤＵ７０（Power Distribution Unit）を備えて構成される。
【００２６】
（構成−ラック）
ラック１０は、情報処理機器（図示省略）を収容するための収容手段である。このラック１０の具体的な形状については任意であるが、本実施の形態１については図１に示すように中空の直方体形状として形成された筐体を有し、その筐体の内部には複数の情報処理機器が収容されたラック１０であるものとして説明する。なお、このラック１０における筐体の内部の空間（情報処理機器が配置された空間）を以下では必要に応じて「冷却対象空間」と称して説明する。
【００２７】
ここで、このラック１０には情報処理機器を冷却するための工夫が施されている。具体的には、まずラック１０の筐体における一側面、及び当該一側面と対向する位置に設けられた他の側面には、開閉可能な扉が設けられており、この扉の略全面にはメッシュ状の通風孔が設けられている。そして、各情報処理機器には、空気の送風を行うための冷却ファン（図示省略）が設けられている。このように構成されたラック１０及び情報処理機器において冷却ファンを稼動させることにより、ラック１０の外部における空間（以下、第一空間）の空気が、ラック１０の筐体における一側面に設けられた通風孔、ラック１０の内部（すなわち冷却対象空間）、ラック１０の筐体における他の側面に設けられた通風孔、を順次介してラック１０の外部における反対側の空間（以下、第二空間）へと送風される。ここで、以下では、上述したラック１０の筐体における一側面を「吸込面１１」、他の側面を「吹出面１２」と必要に応じて称して説明する。
【００２８】
そして、室内には複数のラック１０がある特定の方向（本実施の形態１では、幅方向）に沿って連続的に並設されることによりラック１０の列（以下、ラック列）が形成されており、当該ラック列を構成する各ラック１０はそれぞれの吸込面１１の向きと吹出面１２の向きが揃えられて配置されている。ここで、「連続的に並設される」とは、ラック１０の相互間に空調機２０等の他の機器や装置が介在していないことを示す。また、このようにラック１０が並設された方向（すなわち、本実施の形態１における幅方向）を、以下では必要に応じて「配列方向」と称して説明する。また、このラック列における吸込面１１側に設けられた空間（すなわち、コールドアイルのキャッピング５０により遮蔽された空間）を「コールドアイル４」と称し、ラック列における吹出面１２側に設けられた空間（すなわち、ホットアイルのキャッピング６０により遮蔽された空間）を「ホットアイル５」と称して以下では説明する。
【００２９】
ここで、ラック１０の上面には情報処理機器の配線を通すための配線孔（図示省略）が設けられている。そして、情報処理機器の配線は、それぞれのラック１０の配線孔を介して、ラック１０の上方に引き出され、ラック列の配列方向に沿ってＰＤＵ７０に対して接続されている。このように配線をラック列の上方を介してＰＤＵ７０に対して接続することにより各情報処理機器に対して配電が行われる。
【００３０】
（構成−空調機）
空調機２０は、冷却空気を生成して、生成した冷却空気をコールドアイル４へと供給する空調手段であって、配列方向における複数のラック１０のいずれか一方の端部（本実施の形態１においては、複数のラック１０の右側の端部）に連続的に配置された空調手段である。ここで、「連続的に配置」とは、複数のラック１０の一方の端部と、当該空調手段との相互間に他の物が介在しないことを示す。図２は空調機２０を示す図であって、図２（ａ）は平面図、図２（ｂ）は側面図、図２（ｃ）は前面図である。この図２に示すように、空調機２０は、吸込口２１、冷却器２２、吹出口２３、及び送風機２４を備えて構成されている。なお、図２（ｃ）において、実際には、風向板３０は空調機２０の送風機２４等よりも前方に配置されているが、図示の便宜上において、点線にて風向板３０を示している。
【００３１】
吸込口２１は、ホットアイル５から空気を吸い込む開口部であって、空調機２０の筐体におけるホットアイル５に面している側の面に設けられる。冷却器２２は、吸込口２１より吸い込んだ空気を冷却して冷却空気を生成する冷却手段であって、冷水配管２５を介して冷水の供給源から取り入れた冷水を用いて空気の冷却を行う公知の冷却コイルとして形成されている。ここで、この冷水配管２５は、空調機２０の上端部から上方に向かって延設されており、その一部が可撓性材料により螺旋形状にて形成されている。このような形状により冷水配管２５を形成することにより、地震動発生時において当該冷水配管２５が上下左右方向に柔軟に変異することができるため、地震動によって冷水配管２５が破損してしまう可能性を低減することができる。吹出口２３は、冷却器２２にて生成された冷却空気をコールドアイル４に対して吹き出す開口部であって、空調機２０の筐体におけるコールドアイル４に面している側の面に設けられる。送風機２４は、吸込口２１から吹出口２３に至る空気の流れを形成する送風手段である。具体的には、空調機２０の筐体の内部に高さ方向に沿って並設された複数（本実施の形態１においては３つ）の有圧扇として形成されており、冷却器２２の下流に配置されている。このように複数の有圧扇を備えることにより、複数の有圧扇のうち１つの有圧扇が故障等の理由により稼働停止した場合であっても、空調システム１全体が機能しなくなってしまう事態を防止することができる。また、空調機２０には図示しないドレンホースの如きドレン排水手段が、空調機２０の内部から空調機２０の右方（すなわち、ＰＤＵ７０の前方又は後方）へ向けて突設されている。そして、空調機２０にて冷却空気を生成することにより発生したドレンが、このドレンホースを介して、空調機２０の外部へと排水される。なお、送風機２４は有圧扇により形成されるものに限らず、ＤＣファン等公知の送風手段により形成する事が可能である。
【００３２】
ここで、図１に示すように、空調機２０における複数のラック１０が配置された側方と反対側の側方（すなわち、空調機２０の右方）から、コールドアイルのキャッピング５０の空調機側遮蔽部５１に設けられた出入り口５１ａ（後述する）、及び空調機２０におけるコールドアイル４側の側方（すなわち、空調機２０の前方）を介して、複数のラック１０におけるコールドアイル４側の側方（すなわち、ラック１０の前方）へとユーザが連続的に移動可能となっている。
さらに、空調機２０における複数のラック１０が配置された側方と反対側の側方（すなわち、空調機２０の右方）から、ホットアイルのキャッピング６０の空調機側遮蔽部６１に設けられた出入り口６１ａ（後述する）、及び空調機２０におけるホットアイル５側の側方（すなわち、空調機２０の後方）を介して、複数のラック１０におけるホットアイル５側の側方（すなわち、ラック１０の後方）へとユーザが連続的に移動可能となっている。
このように、ユーザは、空調機２０の前方を通ってラック１０の前方へと移動可能であり、かつ、空調機２０の後方を通ってラック１０の後方へと移動可能であるため、コールドアイル４やホットアイル５における空調機２０が配置されていない側の側方（本実施の形態１における左側方）に回り込む必要なくラック１０の前方又は後方へと移動できる。このように、当該空調システム１における空調機２０の配置によれば、ユーザによる設備点検等の自由度の向上を図ることが可能となる。
【００３３】
（構成−風向板）
風向板３０は、空調機２０の吹出口２３からの冷却空気の吹き出し方向を所定の方向に変更する風向変更手段である。この風向板３０は、空調機２０と略同一の高さを有する長板形状の部材として形成されており、空調機２０の吹出口２３に対して幅方向に沿って複数枚（本実施の形態１においては６枚）並設されている。ここで、各風向板３０は、吹出口２３との設置部分を中心として回動可能となっている。そして、風向板３０同士は、公知のリンク機構（図示省略）によって接続されており、相互に連動して回動する。例えばユーザが、一つの風向板３０の角度を手動で調節した場合、他の風向板３０も同様に回動して同一の角度に調節される。すなわち、各風向板３０の角度は常に同一となるように形成されている。なお、本実施の形態１においては、各風向板３０は、平面視において吹出口２３と直交する方向から左方向に所定の角度（例えば３０°）を有する向きとなるように角度が調節されているものとして説明する。
【００３４】
ここで、風向板３０を設置しない場合には、吹出口２３から吹き出された冷却空気は、吹出口２３に対して略直交する方向に向けて吹き出される。すなわち、コールドアイル４における各ラック１０の吸込面１１の前方に対して冷却空気が直接供給されるわけではなく、各ラック１０に収容された情報処理機器に設けられた冷却ファンの働きによって、各ラック１０の冷却対象空間に吸い込まれる。したがって、空調機２０から近い位置に在るラック１０（図１のラック列における右側寄りに配置されたラック１０）に対しては冷却空気が充分に供給されるのに対し、空調機２０から遠い位置に在るラック１０（図１のラック列における左側寄りに配置されたラック１０）に対しては冷却空気を充分に供給できない可能性があった。一方、本実施の形態１のように風向板３０を設置した場合には、冷却空気が各ラック１０の吸込面１１の前方に直接供給されるため、各ラック１０に対して冷却空気を均等に供給することが可能となる。さらに、風向板３０は、上述したように、その設置角度を自在に調節することによって、吹出口２３からの冷却空気の吹き出し方向を少なくとも２以上の方向に自在に調節することができる。したがって、ユーザは実験等によって、各ラック１０に均等に冷却空気が均等されるような風向板３０の角度を探索することで、より効率的に各ラック１０に対して冷却空気を均等に供給することが可能である。
【００３５】
また、風向板３０の設置台数は任意であるが、直進する気流の発生や、風向板３０を設置することによる圧力損失を加味して設置台数を決定することが望ましい。すなわち、設置台数が少なすぎると、風向板３０の相互間の隙間が大きくなるため、風向板３０の影響を受けずに吹出口２３から直進してしまう気流が生じる可能性があり、風向きを変更する機能が薄れてしまう。また、設置台数が多すぎると、風向板３０によって圧力損失が生じ、空調機２０の送風機２４の負荷が大きくなってしまう可能性がある。
【００３６】
（構成−免震装置）
免震装置４０は、地震発生時におけるラック１０の揺れを抑制する免震手段であって、具体的な構成については任意であり、例えば公知の積層ゴムやすべり支承を用いた免震装置４０として構成することができる。なお、本実施の形態１においては、各ラック１０の下面、空調機２０の下面、コールドアイルのキャッピング５０の下面、ホットアイルのキャッピング６０の下面、ＰＤＵ７０の下面、ＰＤＵ７０の前方領域の下面、及びＰＤＵ７０の後方領域の下面に架けて配置された、平面視略長方形状の所定高さ（例えば１０ｃｍ）の薄型免震装置として形成されている。
ここで、ＰＤＵ７０の前方領域、及びＰＤＵ７０の後方領域については、いかなる機器も配置されておらず、実際にはこれら領域を免震する必要は無い。したがって、免震装置４０の設置面積を低減して設置コストの低減を図るためには、これらの領域の部分を省略した形状（すなわち、平面視上において右方がＰＤＵの下面に対応する形状に突設した長方形状）にて免震装置４０を構成することが望ましい。ただし、本実施の形態１においては、このような複雑な形状の免震装置４０を形成する手間等を考慮して、上述したようにＰＤＵ７０の前方領域の下面、及びＰＤＵ７０の後方領域の下面に架けても配置された平面視略長方形状の免震装置４０として構成している。
【００３７】
（構成−コールドアイルのキャッピング）
コールドアイルのキャッピング５０は、コールドアイル４の内部に供給された冷却空気がコールドアイル４の外部へと漏出してしまうことを防止する冷却空気漏出防止手段である。具体的には、コールドアイルのキャッピング５０は、概略的に、空調機側遮蔽部５１、ラック側遮蔽部５２、側方遮蔽部５３、及び上方遮蔽部５４を備えて構成されている。
【００３８】
空調機側遮蔽部５１は、空調機２０におけるラック１０と接している側の面と反対側の面（すなわち、本実施の形態１においては空調機２０の右側面）に沿って配置されたビニール製のシートである。この空調機側遮蔽部５１には、ユーザがコールドアイル４の内部へと出入りするための出入り口５１ａが設けられている。この出入り口５１ａの具体的な構成については任意であるが、本実施の形態１においては、シートの高さ方向に沿って設けられたファスナーであって、当該ファスナーを開くことによってシートに開口が形成されてユーザが出入り可能となるようなファスナーであるものとして説明する。なお、後述するラック側遮蔽部５２に設けられた出入り口５２ａについても同様の構成であるものとする。
【００３９】
ラック側遮蔽部５２は、空調機２０から最も遠い位置に配置されたラック１０における、空調機２０と最も遠い側の側面（すなわち、本実施の形態１においては最も左側に位置するラック１０の左側面）に沿って配置されたビニール製のシートである。このラック側遮蔽部５２には、ユーザがコールドアイル４の内部へと出入りするための出入り口５２ａが設けられている。
側方遮蔽部５３は、ラック１０の吸込面１１から、配列方向と直交する方向に所定距離離れた位置に、ラック１０の吸込面１１と平行に配置されたポリカーボネート製の板状体である。
上方遮蔽部５４は、コールドアイル４の上方において、水平に配置されたポリカーボネート製の板状体である。
【００４０】
このように、コールドアイルのキャッピング５０を備えることによって、冷却空気がコールドアイル４の外部の空間へと漏出しないため、空調機２０の空調効率の向上を図ることが可能となる。また、このように構成されたコールドアイルのキャッピング５０において、空調機２０を管理する者は、空調機側遮蔽部５１に設けられた出入り口５１ａを介して、ラック１０の吸込面１１の前方を通過せずに空調機２０へとアクセスすることが出来る。また、ラック１０の内部に収容された情報処理機器を管理する者（以下、情報処理機器を管理する者）は、ラック側遮蔽部５２に設けられた出入り口５２ａを介して、空調機２０の吹出口２３の前方を通過せずにラック１０へとアクセスすることが出来る。したがって、このようにコールドアイルのキャッピング５０を構成することにおり、空調機２０を管理する者とラック１０の内部の情報処理機器を管理する者の動線を相互に重複させずに区別して確保する事が可能となる。
【００４１】
（構成−ホットアイルのキャッピング）
ホットアイルのキャッピング６０は、ホットアイル５の内部の空気がホットアイル５の外部へと漏出してしまうことを防止する排気漏出防止手段である。具体的には、ホットアイルのキャッピング６０は、概略的に、空調機側遮蔽部６１、ラック側遮蔽部６２、側方遮蔽部６３、及び上方遮蔽部６４を備えて構成されている。
【００４２】
空調機側遮蔽部６１は、空調機２０におけるラック１０と接している側の面と反対側の面（すなわち、本実施の形態１においては空調機２０の右側面）に沿って配置されたビニール製のシートである。この空調機側遮蔽部６１には、ユーザがホットアイル５の内部へと出入りするための出入り口６１ａが設けられている。なお、この出入り口６１ａについては、コールドアイルのキャッピング５０の空調機側遮蔽部５１と同様に構成することが可能である。ラック側遮蔽部６２に設けられた出入り口６２ａについても同様である。
【００４３】
ラック側遮蔽部６２は、空調機２０から最も遠い位置に配置されたラック１０における、空調機２０と最も遠い側の側面（すなわち、本実施の形態１においては最も左側に位置するラック１０の左側面）に沿って配置されたビニール製のシートである。このラック側遮蔽部６２には、ユーザがホットアイル５の内部へと出入りするための出入り口６２ａが設けられている。
側方遮蔽部６３は、ラック１０の吹出面１２から、配列方向と直交する方向に所定距離離れた位置に、ラック１０の吹出面１２と平行に配置されたポリカーボネート製の板状体である。
上方遮蔽部６４は、ホットアイル５の上方において、水平に配置されたポリカーボネート製の板状体である。
【００４４】
このように、ホットアイルのキャッピング６０を備えることによって、ラック１０の吹出面１２から吹き出された排気がホットアイル５の外部の空間へと漏出しないため、当該空調システム１が配置された室内の温度上昇を防ぐことができ、室内を空調する空調装置の空調負荷が上昇してしまうことを防止する事が可能となる。また、このように構成されたホットアイルのキャッピング６０において、空調機２０を管理する者は、空調機側遮蔽部６１に設けられた出入り口６１ａを介して、ラック１０の吹出面１２の後方を通過せずに空調機２０へとアクセスすることが出来る。また、情報処理機器を管理する者は、ラック側遮蔽部６２に設けられた出入り口６２ａを介して、空調機２０の吸込口２１の後方を通過せずにラック１０へとアクセスすることが出来る。したがって、このようにホットアイルのキャッピング６０を構成することにおり、空調機２０を管理する者と情報処理機器を管理する者の動線を相互に重複させずに区別して確保する事が可能となる。
【００４５】
（構成−ＰＤＵ）
ＰＤＵ７０は、データセンターで供給される電源を、ラック１０の内部の情報処理機器に配電するための電源分配手段であって、ベーシックＰＤＵ、スイッチ付きＰＤＵ、あるいはインテリジェントＰＤＵ等といった公知のＰＤＵ７０によって構成されている。ここで、ＰＤＵ７０の具体的な位置は任意であるが、本実施の形態１においては、空調機２０の側方のうちラック１０が配置された側方と反対側の側方に配置されている。このように空調機２０を管理する者や情報処理機器を管理する者の動線と重複しない位置にＰＤＵ７０を配置することが望ましい。また、各情報処理機器の配線は、上述したように、ラック１０の上部を介して当該ＰＤＵ７０と接続されている。また、室内の電源からＰＤＵ７０に対して送電するための配線は、上述した冷水配管２５同様に地震時において破断等しないように、地震時における変位を考慮した長さにて形成されている。
【００４６】
（処理）
このように構成された空調システム１によって実行される空調処理について説明する。まず、空調機２０の吸込口２１を介して空調機２０に吸い込まれた空気は、空調機２０の冷却器２２によって冷却されて冷却空気となり、空調機２０の吹出口２３を介して吹き出される。そして、このように空調機２０から吹出された冷却空気は風向板３０によって風向きが変えられて、所定の角度を持って吹き出される。この際における冷却空気の流れを図１の矢印にて示す。このように、空調機２０の吹出口２３からラック列の方向に向けて送風されることにより、コールドアイルにおける各ラック１０の吸込面１１の前方に対して冷却空気が送風される。
【００４７】
そして、コールドアイルにおける各ラック１０の吸込面１１の前方に対して送風された冷却空気は、各ラック１０に収容された情報処理機器に設けられた冷却ファンによって、ラック１０の内部（冷却対象空間）を通って、ラック１０の吹出面１２からホットアイル５に対して排気として吹出される。この際にラック１０に収容された情報処理機器が冷却される。そして、ホットアイル５に吹出された排気は、空調機２０の送風機２４によって、空調機２０の吸込口２１を介して再度空調機２０に取り入れられ、空調機２０の冷却器２２によって冷却されて、再び空調機２０の吹出口２３を介してコールドアイル４へと吹き出される。
【００４８】
ここで、上述したように、冷却空気は図１の矢印のようにコールドアイルのキャッピング５０の空調機側遮蔽部５１に設置された出入り口５１ａから離れる方向に向かって吹き出される。したがって、コールドアイル４の内部へと出入りする者が、当該出入り口５１ａを開けた場合であっても、空調機２０から吹き出された冷却空気が当該出入り口５１ａを介して直接的にコールドアイル４の外部へと排出されない。このように風向板３０は、各ラック１０に対して均等に冷却空気を送風する役割だけでなく、コールドアイル４から出入り口５１ａを介して排出されてしまう冷却空気を低減して空調機２０の空調負荷を低減させる役割を果たす。
【００４９】
（実施の形態１の効果）
本実施の形態１に記載の空調システム１によれば、空調機２０を複数のラック１０の端部に連続的に配置するので、空調機２０を管理する者とラックの内部に収容された情報処理機器を管理する者の動線を区別して確保する事が可能となる。また、吹出口２３からの冷却空気の吹き出し方向を所定の方向に変更する風向板３０を備えるので、空調機２０が複数のラック１０の端部に配置されている場合であっても各ラック１０に対して均等にあるいは局所的に冷却空気の送風を図ることができ、情報処理機器の冷却効率の向上を図ることが可能となる。
【００５０】
また、空調機２０におけるコールドアイル４側及びホットアイル５側の側方の両方をユーザが移動可能となるので、ユーザによるコールドアイル４及びホットアイル５への移動し易さの向上を図ることができ、設備点検等の自由度の向上を図ることが可能となる。
【００５１】
また、風向板３０として長板形状を有する風向板３０を設けることにより、極めて容易な構成により冷却空気の吹き出し方向を所定の方向に変更することができ、施工性及び施工コストの低減を図ることが可能となる。
【００５２】
また、風向板３０は吹出口２３からの冷却空気の吹き出し方向を少なくとも２以上の方向に調節可能であるので、ラック１０の冷却状態等に応じて風向を自在に調節でき、情報処理機器の冷却効率のさらなる向上を図ることが可能となる。
【００５３】
（実施の形態２）
続いて、実施の形態２について説明する。
【００５４】
（構成）
まず、実施の形態２に係る空調システムの構成について説明する。この空調システムは、概略的に、ラック１０、空調機２０、風向板３０、免震装置４０、コールドアイルのキャッピング５０、ホットアイルのキャッピング６０、ＰＤＵ７０、温度計、及び制御部を備えて構成される。なお、温度計及び制御部以外の各構成要素については実施の形態１と同様に構成することが可能であるため、その詳細な説明を省略する。
【００５５】
（構成−温度計）
温度計は、ラック１０の内部の温度を計測するための計測手段であって、各ラック１０の内部に設置された公知の温度計として構成されている。なお、当該温度計は、制御部に対して配線により接続されており、計測された温度を制御部に対して所定の時刻間隔（例えば１０秒置き）で送信する。
【００５６】
（構成−制御部）
制御部は、温度計にて計測された温度に基づいて風向板３０を制御して吹出口２３からの冷却空気の吹き出し方向を調節する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されている。
【００５７】
（処理）
続いて、実施の形態２の空調システムによって実行される処理について説明する。
【００５８】
まず、空調システムの稼働時において、温度計は所定の時刻間隔でラック１０の内部の温度及び当該ラック１０を特定する識別ＩＤを含む信号を制御部に対して送信する。そして、制御部は、当該信号に基づいて、各ラック１０の内部の温度が情報処理機器に影響を与え得る所定の温度を超えているか否かを監視する。そして、所定の温度を超えていると判定した場合、識別ＩＤに基づいてラック１０を特定し、当該特定したラック１０に対して冷却空気が送風されやすいような風向きにすべく、風向テーブル（図示省略）を参照して風向板３０の角度を調節する。なお、「風向テーブル」とは、複数のラック１０のそれぞれの識別ＩＤと、各ラック１０に対して最も冷却空気が多く供給されるような風向板３０の角度とを互いに対応付けて保存したテーブルである。
【００５９】
（実施の形態２の効果）
本実施の形態２に記載の空調システムによれば、ラック１０の内部の温度に応じて冷却空気の吹き出し方向を調節する制御部を備えるので、各ラック１０の冷却状況に一層適した空調を行うことが可能となり、情報処理機器の冷却効率のさらなる向上を図ることが可能となる。
【００６０】
（実施の形態３）
続いて、実施の形態３について説明する。この実施の形態３に係る空調システム３は、複数の空調ユニット８０を組み合わせることによって構成された空調システム３である。ここで、「空調ユニット８０」とは、所定の配列方向に沿って連続的に配列された複数のラック１０と、当該複数のラック１０の端部に連続的に配置された空調機２０と、を少なくとも備えて構成された一単位のシステムであって、本実施の形態３においては、これら複数のラック１０及び空調機２０に加えて、風向板３０、免震装置４０、及びＰＤＵ７０を備えるユニットであるものとして説明する。図３は、実施の形態３に係る空調ユニット８０を２つ接続した空調システム３を概略的に示す平面図である。図４は、空調システム３を概略的に示す側面図である。なお、この図３に示すように、以下では２つの空調ユニット８０を、コールドアイル４を介して平行かつ同一向きに並設して接続した接続パターンの空調システム３の構成について説明する。なお、「同一向き」とは、ラック列の両端部における同一側の端部に空調機２０を配置することを示し、例えば、図３に示すように、２つの空調ユニット８０はそれぞれラック列の右側の端部に空調機２０を配置して構成されているため、これらの空調ユニット８０は「同一向き」に該当する。なお、以下では、図３における後側に配置された空調ユニット８０を「第一空調ユニット８１」、前側に配置された空調ユニット８０を「第二空調ユニット８２」と必要に応じて称して説明する。なお、第一空調ユニット８１は実施の形態１と同様に空調機２０の前側に空調機２０の吹出口２３が位置するように配置されており、第二空調ユニット８２は第一空調ユニット８１とは対称的に空調機２０の後側に空調機２０の吹出口２３が位置するように配置されている。
【００６１】
（構成）
まずは本実施の形態３に係る空調システム３の構成について説明する。本実施の形態３に係る空調システム３は、概略的には、実施の形態１に係る空調システム１を、ラック１０の吸込面１１が向き合うような配置において設置し、コールドアイルのキャッピング５０の側方遮蔽部５３を削除してコールドアイル４を１つに結合することにより形成されたシステムである。具体的には、空調システム３は、概略的に、第一空調ユニット８１、第二空調ユニット８２、コールドアイルのキャッピング９０、ホットアイルのキャッピング６０、及び各空調ユニット８０に対応するＰＤＵ７０を備えて構成されている。ここで、各空調ユニット８０を構成するラック１０及び空調機２０と、ホットアイルのキャッピング６０と、各空調ユニット８０に対応するＰＤＵ７０と、については実施の形態１と同様に構成することが可能であるため、以下ではコールドアイルのキャッピング９０の構成についてのみ説明する。
【００６２】
（構成−コールドアイルのキャッピング）
コールドアイルのキャッピング９０は、各空調ユニット８０の相互間に形成されたコールドアイル４の内部に供給された冷却空気がコールドアイル４の外部へと漏出してしまうことを防止する冷却空気漏出防止手段である。具体的には、空調機側遮蔽部９１、ラック側遮蔽部９２、及び上方遮蔽部９３を備えて構成されている。
【００６３】
空調機側遮蔽部９１は、空調機２０におけるラック１０と接している側の面と反対側の面（すなわち、本実施の形態３においては空調機２０の右側面）に沿って配置されたビニール製のシートである。この空調機側遮蔽部９１は、具体的には、第一空調ユニット８１の空調機２０の右側面から第二空調ユニット８２の空調機２０の右側面へと架け渡されて配置されており、コールドアイル４の右側方から冷却空気が漏出してしまうことを防止する。ここで、この空調機側遮蔽部９１には、ユーザがコールドアイル４の内部へと出入りするための出入り口９１ａが設けられている。この出入り口９１ａの具体的な構成については、実施の形態１と同様に構成できるためその詳細な説明を省略する。
【００６４】
ラック側遮蔽部９２は、空調機２０から最も遠い位置に配置されたラック１０における、空調機２０と最も遠い側の側面（すなわち、本実施の形態３においては最も左側に位置するラック１０の左側面）に沿って配置されたビニール製のシートである。このラック側遮蔽部９２は、具体的には、第一空調ユニット８１における最も左側に位置するラック１０の左側面から、第二空調ユニット８２における最も左側に位置するラック１０の左側面へと架け渡されて配置されており、コールドアイル４の左側方から冷却空気が漏出してしまうことを防止する。ここで、このラック側遮蔽部９２には、ユーザがコールドアイル４の内部へと出入りするための出入り口９２ａが設けられている。この出入り口９２ａの具体的な構成については、実施の形態１と同様に構成できるためその詳細な説明を省略する。
【００６５】
上方遮蔽部９３は、コールドアイル４の上方において、水平に配置されたポリカーボネート製の板状体である。この上方遮蔽部９３は、具体的には、第一空調ユニット８１のラック１０の吸込面１１の上端部から、第二空調ユニット８２のラック１０の吸込面１１の上端部へと架け渡されて配置されており、コールドアイル４の上方から冷却空気が漏出してしまうことを防止する。
【００６６】
（空調ユニットの接続パターン）
以上では、ラック１０の配列方向と直交する方向（すなわち、図３における奥行き方向）に沿って２つの空調ユニット８０を並設して接続した接続パターンについて説明したが、空調ユニット８０の接続パターンはこれに限定されない。図５は、空調ユニット８０の接続パターンを概略的に示す平面図である。すなわち、この図５に示すように、本実施の形態に係る空調ユニット８０は、ラック１０の配列方向に沿って（すなわち、図５における幅方向に沿って）一直線上に接続する接続パターンも可能であり、また、ラック１０の配列方向と直交する方向（すなわち、図５における奥行き方向に沿って）に沿って３つ以上の空調ユニット８０を並設する接続パターンも可能である。具体的には、前者の接続パターンにおいては、複数のラック１０における空調機２０が配置されていない側の端部同士が連続的に配置される向き（すなわち、平面視上において、空調機２０からも最も遠いラック１０の側面のうち空調機２０から遠い側の側面を基準面として線対称の配置となる向き）に空調ユニット８０を並設する。この場合には、各空調ユニット８０のラック側遮蔽部５２、６２、９２、及び、各ラック側遮蔽部５２、６２、９２に設けられた出入り口５２ａ、６２ａ、９２ａを省略しても良い。また、後者の接続パターンにおいては、複数の空調ユニット８０のラック列の、吹出面１２及び吸込面１１がそれぞれ向かい合うように空調ユニット８０を配置する。ここで、複数の空調ユニット８０のラック列の、吹出面１２がそれぞれ向かい合うように配置する際には、当該吹出面１２の相互間に位置するホットアイルのキャッピング６０の側方遮蔽部６３を削除して、ホットアイル５を１つに結合するようにホットアイルのキャッピング６０を構成しても良い。このような構成の詳細については、上述したように、実施の形態１に係る空調システム１におけるコールドアイルのキャッピング５０の側方遮蔽部５３を削除してコールドアイル４を１つに結合するようにコールドアイルのキャッピング９０を構成した事と同様に説明することが出来るため、説明を省略する。このように、室内の広さに応じて任意の数の空調ユニット８０を幅方向又は奥行き方向に沿って接続することが可能である。
【００６７】
（実施の形態３の効果）
本実施の形態３に記載の空調システム３によれば、複数の空調ユニット８０を組み合わせて空調システム３を構成するので、ラック１０を設置する部屋の広さや、設置するラック１０の数等に応じて複数の空調ユニット８０を組み合わせることができ、空調システムの構成の自由度の向上を図ることが可能となる。
【００６８】
〔ＩＩＩ〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、情報処理機器の冷却効率を向上させることができない場合であっても、従来と異なるシステムにより空調を達成できている場合には、本発明の課題は解決されている。
【００７０】
（寸法や材料について）
発明の詳細な説明や図面で説明した空調システム１、３、１００の各部の寸法、形状、比率等は、あくまで例示であり、その他の任意の寸法、形状、比率等とすることができる。
【００７１】
（ラックの扉について）
各実施の形態では、ラック１０の筺体における一側面、及び当該一側面と対向する位置に設けられた他の側面には開閉可能な扉が設けられているものとして説明したが、これに限らず、いずれか一方の面にのみ扉が設けられているものとしても良い。
【００７２】
（ラックに設けられた冷却ファンについて）
各実施の形態では、情報処理機器自体に設けられた冷却ファンによってコールドアイル４の空気をラック１０の内部を介してホットアイル５に排気したが、このような冷却ファンは必ずしも情報処理機器自体に設ける必要はない。例えば、情報処理機器自体には冷却ファンを設けず、各ラック１０の内部におけるいずれかの位置に冷却ファンを配置して情報処理機器に対して冷却空気を送風しても良い。
【００７３】
（ラックのパネルについて）
情報処理機器が収容されていないラック１０に対して取り付けられる冷却対象空間遮蔽手段であって、当該ラック１０の内部に対する冷却空気の流通を防止するための冷却対象空間遮蔽手段を設けても良い。すなわち、必ずしもラック列を構成する各ラック１０の全てに情報処理機器を収容する必要はなく、一部のラック１０にのみ情報処理機器を収容し、他のラック１０には情報処理機器を収容しない場合も存在する。このような場合においては、情報処理機器が収容されていないラック１０の内部は、情報処理機器が収容されているラック１０の内部に比べて通気抵抗が格段に小さい。したがって、コールドアイル４の冷却空気の多くが、当該情報処理機器が収容されていないラック１０の内部を介してホットアイル５へと流通してしまい、情報処理機器を充分に冷却することが出来ない可能性があった。このような問題を解決するために、ラック１０の吸込面１１又は吹出面１２と略同一形状の長板面を有するパネルの如き冷却対象空間遮蔽手段を、情報処理機器が収容されていないラック１０における吸込面１１又は吹出面１２に対して当該吸込面１１又は吹出面１２のいずれかを覆うように取り付けても良い。このことによって、情報処理機器が収容されていないラック１０の内部への冷却空気の流通を防止し、情報処理機器が収容されたラック１０に対して重点的に冷却空気を流通させることが可能となり、情報処理機器の冷却効率を向上させることが可能となる。なお、当該パネルは一枚のパネルによって構成されている事を要さず、例えば複数のパネルを組み合わせて構成されたものであっても良い。
【００７４】
（ホットアイルのキャッピングについて）
各実施の形態では、ホットアイルのキャッピング６０を設置するものとして説明したが、ホットアイルのキャッピング６０を設置しない構成としても良い。このようにホットアイルのキャッピング６０を設置しない構成によれば、ホットアイルのキャッピング６０を設置することに要するコストや、ホットアイルのキャッピング６０の清掃コストの低減を図ることが可能となる。さらに、意匠的圧迫感を有することのあるホットアイルのキャッピング６０を設置しないことにより、ユーザのストレスの低減を図ることが可能となる。
【００７５】
（コールドアイルのキャッピング及びホットアイルのキャッピングの素材や形状について）
各実施の形態では、コールドアイルのキャッピング５０、９０及びホットアイルのキャッピング６０を構成する各部の素材や形状に関して、空調機側遮蔽部５１、６１、９１及びラック側遮蔽部５２、６２、９２をビニール製のシート、側方遮蔽部５３、６３及び上方遮蔽部５４、６４、９３をポリカーボネート製の板状体として構成するものとして説明したが、空気の漏出を防止可能な強度を有する限りにおいて、これらに限定されない。例えば、側方遮蔽部５３、６３及び上方遮蔽部５４、６４、９３についてもビニール製のシートとして構成しても良い。逆に、空調機側遮蔽部５１、６１、９１及びラック側遮蔽部５２、６２、９２をポリカーボネート製の板状体として構成しても良く、この際に設けられる出入り口５１ａ、５２ａ、６１ａ、６２ａ、９１ａ、９２ａの構成としては、例えばスライド式のドア等としても良い。
【００７６】
（風向板の角度について）
各実施の形態では、各風向板３０の角度は均一であるものとして説明したが、これに限定されない。例えば、各風向板３０をそれぞれ異なる角度としてもよい。
【００７７】
また、各実施の形態では、風向板３０の角度を２以上の角度に自在に調節できるものとして説明したが、これに限定されない。すなわち、例えば各ラック１０に対して効率的に冷却空気を送風することが可能な角度が特定できている場合には、当該角度にて固定されていても良い。
【００７８】
（風向変更手段について）
各実施の形態では、風向変更手段は、長板形状の風向板３０であるものとして説明したが、これに限定されない。特に風向板３０の形状は吹出口２３からの風向きを変更可能な限りにおいて任意であり、例えば円筒形状のパイプや、短板を高さ方向に沿って複数組み合わせて風向板３０を形成しても良い。
【００７９】
（免震装置について）
各実施の形態では、免震装置４０は、各ラック１０の下面、空調機２０の下面、コールドアイルのキャッピング５０の下面、ホットアイルのキャッピング６０の下面、ＰＤＵ７０の下面、ＰＤＵ７０の前方領域の下面、及びＰＤＵ７０の後方領域の下面に架けて配置されているものとして説明したが、これに限定されない。すなわち、免震の対象として必要なのは情報処理機器が収容されたラック１０、空調機２０、及びＰＤＵ７０のみであるため、少なくともラック１０の下面、空調機２０の下面、及びＰＤＵ７０の下面にのみ免震装置４０を設置すれば構わない。例えば、実施の形態３のように空調ユニット８０を複数接続する場合には、１つの空調ユニット８０の下面及びＰＤＵ７０の下面から、コールドアイル４を介して、他の空調ユニット８０の下面及びＰＤＵ７０の下面に架けて免震装置４０を設置し、ホットアイル５には免震装置４０を設置しなくても良い。同様に、例えば奥行き方向に沿って３つ以上の空調ユニット８０を接続する場合であっても、奥行き方向における最も外側に位置するコールドアイル４の下面又はホットアイル５の下面（例えば図５においては、最も前方に位置するホットアイル５の下面又は最も後方に位置するホットアイル５の下面）には免震装置４０を設置しなくても良い。このように免震装置４０の設置面積を削減することにより空調システム１、３、１００のコストを低減することが出来る。
【００８０】
（空調機について）
各実施の形態においては、空調機２０の冷却器２２を、送風機２４の上流に配置されるものとして説明したが、これに限らず、空調機２０の冷却器２２を、送風機２４の下流に配置しても良い。
【００８１】
（空調ユニットについて）
本実施の形態３においては、１組の、ラック１０、空調機２０、風向板３０、免震装置４０、及びＰＤＵ７０を備えるユニットを「空調ユニット８０」として、この空調ユニット８０を室内の広さに応じて接続するものとして説明したが、これに限定されない。例えば、図３に示すような２組のラック１０、空調機２０、風向板３０、免震装置４０、及びＰＤＵ７０を備えるユニットを「空調モジュール」として、この空調モジュールを室内の広さに応じて接続しても良い。
【００８２】
（付記）
付記１に記載の空調システムは、情報処理機器を収容する複数のラックであって、所定の配列方向に沿って連続的に配列された複数のラックを前記配列方向と直交する方向において挟んで位置する２つの空間である第一空間及び第二空間において、前記第一空間から各ラックの内部を介して前記第二空間への冷却空気の流れを形成することにより前記情報処理機器の冷却を行う空調システムであって、前記配列方向における前記複数のラックのいずれか一方の端部に連続的に配置された空調手段であって、前記第二空間から空気を吸い込む吸込口と、前記吸込口より吸い込んだ空気を冷却して冷却空気を生成する冷却手段と、前記冷却手段にて生成された冷却空気を前記第一空間に対して吹き出す吹出口と、前記吸込口から前記吹出口に至る空気の流れを形成する送風手段と、を有する空調手段と、前記空調手段の吹出口からの冷却空気の吹き出し方向を所定の方向に変更する風向変更手段と、を備える。
【００８３】
また、付記２に記載の空調システムは、付記１に記載の空調システムにおいて、前記空調手段における前記複数のラックが配置された側方と反対側の側方から、前記空調手段における前記第一空間側の側方を介して、前記複数のラックにおける前記第一空間側の側方へとユーザが連続的に移動可能となり、かつ、前記反対側の側方から、前記空調手段における前記第二空間側の側方を介して、前記複数のラックにおける前記第二空間側の側方へとユーザが連続的に移動可能となるように、前記空調手段を配置した。
【００８４】
また、付記３に記載の空調システムは、付記１又は２に記載の空調システムにおいて、前記風向変更手段は、それぞれが長板形状を有する風向板であって、前記吹出口に対して前記配列方向に沿って並設された複数の風向板である。
【００８５】
また、付記４に記載の空調システムは、付記１から３のいずれか一項に記載の空調システムにおいて、前記風向変更手段は、前記吹出口からの冷却空気の吹き出し方向を少なくとも２以上の方向に調節可能である。
【００８６】
また、付記５に記載の空調システムは、付記４に記載の空調システムにおいて、前記各ラックの内部の温度を計測する計測手段と、前記計測手段にて計測された温度に基づいて前記風向変更手段を制御して前記吹出口からの冷却空気の吹き出し方向を調節する制御手段を備える。
【００８７】
また、付記６に記載の空調システムは、付記１から５のいずれか一項に記載の空調システムにおいて、前記所定の配列方向に沿って連続的に配列された複数のラックと、当該複数のラックの端部に連続的に配置された空調手段と、により空調ユニットを構成し、複数の前記空調ユニットを、前記第一空間又は前記第二空間を介して平行かつ同一向きに並設し、又は、複数の前記空調ユニットを、前記複数のラックの配列方向に沿って一直線上に、かつ各空調ユニットを構成する複数のラックにおける前記空調手段が配置されていない側の端部同士が連続的に配置される向きに並設した。
【００８８】
（付記の効果）
付記１に記載の空調システムによれば、空調手段を複数のラックの端部に連続的に配置するので、空調手段を管理する者とラックの内部に収容された情報処理機器を管理する者の動線を区別して確保する事が可能となる。また、吹出口からの冷却空気の吹き出し方向を所定の方向に変更する風向変更手段を備えるので、空調手段が複数のラックの端部に配置されている場合であっても各ラックに対して均等にあるいは局所的に冷却空気の送風を図ることができ、情報処理機器の冷却効率の向上を図ることが可能となる。
【００８９】
付記２に記載の空調システムによれば、空調手段における第一空間側及び第二空間側の側方の両方をユーザが移動可能となるので、ユーザによる第一空間及び第二空間への移動し易さの向上を図ることができ、設備点検等の自由度の向上を図ることが可能となる。
【００９０】
付記３に記載の空調システムによれば、風向変更手段として長板形状を有する風向板を設けることにより、極めて容易な構成により冷却空気の吹き出し方向を所定の方向に変更することができ、施工性及び施工コストの低減を図ることが可能となる。
【００９１】
付記４に記載の空調システムによれば、風向変更手段は吹出口からの冷却空気の吹き出し方向を少なくとも２以上の方向に調節可能であるので、ラックの冷却状態等に応じて風向を自在に調節でき、情報処理機器の冷却効率のさらなる向上を図ることが可能となる。
【００９２】
付記５に記載の空調システムによれば、ラックの内部の温度に応じて冷却空気の吹き出し方向を調節する制御手段を備えるので、各ラックの冷却状況に一層適した空調を行うことが可能となり、情報処理機器の冷却効率のさらなる向上を図ることが可能となる。
【００９３】
付記６に記載の空調システムによれば、複数の空調ユニットを組み合わせて空調システムを構成するので、ラックを設置する部屋の広さや、設置するラックの数等に応じて複数の空調ユニットを組み合わせることができ、空調システムの構成の自由度の向上を図ることが可能となる。
【符号の説明】
【００９４】
１、３、１００  空調システム
４  コールドアイル
５  ホットアイル
１０  ラック
１１  吸込面
１２  吹出面
２０  空調機
２１  吸込口
２２  冷却器
２３  吹出口
２４  送風機
２５  冷水配管
３０  風向板
４０  免震装置
５０、９０  コールドアイルのキャッピング
５１、６１、９１  空調機側遮蔽部
５１ａ、５２ａ、６１ａ、６２ａ、９１ａ、９２ａ  出入り口
５２、６２、９２  ラック側遮蔽部
５３、６３  側方遮蔽部
５４、６４、９３  上方遮蔽部
６０  ホットアイルのキャッピング
７０  ＰＤＵ
８０  空調ユニット
８１  第一空調ユニット
８２  第二空調ユニット
【図１】
2015076075.tif 000003
【図２】
2015076075.tif 000004
【図３】
2015076075.tif 000005
【図４】
2015076075.tif 000006
【図５】
2015076075.tif 000007